(57)【要約】      （修正有）【課題】ペニス刺激が単純化せず、健常者、健常青年、老人、身体障害者等が精子の採取装置を使用する場合、十分な刺激を与えて採取目的を達成できる用具を提供する。【解決手段】精子採取装置１は、長手方向一端面が開口した非円筒状の容器本体３と、該開口の開閉するキャップ５から成り、容器本体内３は、長手方向挿入口から内部に延びる挿入空所を有したゲル状樹脂製のコア部材と、コア部材と容器本体３内壁との間に介在するスポンジ層とを備え、容器本体３は長手方向両端部の外径よりも中間部の外径が小さい非円筒体とする。【選択図】図１
2006334176.tif 000002
【特許請求の範囲】
【請求項１】
長手方向一端面が開口した非円筒状の容器本体と、該容器本体の開口部に着脱して開閉するキャップと、から成る容器と、
前記容器本体内に収容され、長手方向一端面の挿入口から内部に延びる挿入空所を有したゲル状樹脂製のコア部材と、
前記コア部材と前記容器本体内壁との間に介在するスポンジ層と、
を備えた精子採取装置において、
前記容器本体は、長手方向両端部の外径よりも中間部の外径が小さい非円筒体であると共に、前記キャップの上面は定置に適した平坦面であり、前記開口部と反対側の容器本体端部は定置に適さない円弧状面であることを特徴とする精子採取装置。
【請求項２】
前記コア部材の挿入空所の内径は、前記容器本体の中間部に設けた前記小径部に対応する部分が他の部位の内径よりも狭くなっていることを特徴とする請求項１に記載の精子採取装置。
【請求項３】
非円筒形の前記容器本体の外径は、前記開口部側端部よりも奥側端部の方が小径となっていることを特徴とする請求項１、又は２に記載の精子採取装置。
【請求項４】
長手方向一端面が開口した非円筒状の容器本体と、該容器本体の開口部に着脱して開閉するキャップと、から成る容器と、
前記容器本体内に収容され、長手方向一端面の挿入口から内部に延びる挿入空所を有したゲル状樹脂製のコア部材と、
前記コア部材と前記容器本体内壁との間に介在するスポンジ層と、
を備えた精子採取装置において、
非円筒状の前記容器の外形は、前記開口側端面が円形の平坦面であり、長手方向中間部に向けて側面幅が漸減して扁平化し、奥側端部の側面幅が最小となっていることを特徴とする精子採取装置。
【請求項５】
前記コア部材は、その外周面に突出したリブを備え、
前記スポンジ層は、前記リブを挟み込んで前記コア部材の挫屈を防止する挟圧部を備えていることを特徴とする請求項１、２、３又は４に記載の精子採取装置。
【請求項６】
前記コア部材の挿入口に、該コア部材と密着して挿入口を閉止する蓋板を配置したことを特徴とする請求項１、２、３、４、又は５に記載の精子採取装置。
【請求項７】
前記コア部材の挿入口側端面と、前記キャップとの間に切り込みを有したスポンジ蓋を介在させ、該スポンジ蓋の一部を前記容器本体開口部端縁よりも外側に突出させたことを特徴とする請求項１乃至６の何れか一項に記載の精子採取装置。
【請求項８】
前記コア部材の先端部の適所に逆止弁として機能する抜気用の切り込み線を形成したことを特徴とする請求項１乃至７の何れか一項に記載の精子採取装置。
【請求項９】
前記スポンジ層とは別体の底部スポンジ層を、前記容器本体の内底面と前記コア部材先端面との間に介在させたことを特徴とする請求項１乃至８の何れか一項に記載の精子採取装置。
【発明の詳細な説明】
【技術分野】
【０００１】
本発明は精子採取装置に関し、特に医学的な研究、治療のための要請や、性犯罪防止、売春防止、及び性病の蔓延防止等の社会的な要請に基づいて従来から使用されてきた精子採取装置の改良に関するものである。
【背景技術】
【０００２】
医学的な研究や治療上の必要から、男性の精子を採取するための精子採取装置が種々提案されている。例えば、夫婦間の不妊の原因を究明するために採取した精子から夫の性機能を検査したり、性機能障害を治療したり、人工授精のために精子を確保、保管する等の医学的な必要性のために精子採取装置が使用される。更に、個人的な性的欲求を解消させることによる性犯罪の予防、売春防止、性病感染者数の減少等の種々の社会的なニーズを満たすためにも、従来から低廉に入手することができ、しかも使い捨てタイプであるために衛生上、健康上の問題も惹起しない簡易な精子採取装置が知られている。
例えば、実用新案登録第３０７６６２７号には、円筒状の容器本体内に、内部に深い凹部空間を有するゲル状の合成樹脂製（スチレン系熱可塑性エラストマー）の内装材を設け、当該内装材の内側には凹部空間へ突出した複数の小突起及び、襞状部を設けると共に、上記内装材の周囲を覆う状態に、ウレタン樹脂からなる外装材を設けた精子採取器が提案されている。
この精子採取器は、上下端面が平坦な円筒状の容器本体の一端を開口し、この開口から容器内部に、内装材の周囲を覆うように外装材を組み付けた組付け体を挿入し、容器開口側に位置する内装材の挿入口を円盤状のスポンジ蓋によって塞いでから、該容器開口をキャップによって封止している。スポンジ蓋の中央部には十字状の切り込みを設けておき、この切り込みを内装材の挿入口と連通させることによって、スポンジ蓋を経由して内装材内部にペニスを挿入できるようにしている。
【０００３】
上記従来の容器本体は、所要の硬度、肉厚を有したプラスチックを用いて直径（５〜６．５ｃｍ程度）が全長に亘って均一な円筒体を構成している。従って、ペニス摺擦のための操作を行っている期間中、外装体を介して容器本体内壁から挿入体内部のペニスに加わる圧力がほぼ均一となり、ペニスに対する刺激が単純化する傾向にあった。健常な青年男子に比べて強い刺激に耐えられない老人、身体障害者等がこの種の採取装置を使用する場合には、刺激が強すぎて苦痛が増大し、採取目的を達成できないことが多くなる。つまり、個々人の反応、好みに応じた刺激の調整が困難であった。逆に、通常の刺激では反応しない使用者が、好みに応じた強い刺激を加えることにも、容器の構造上から限界があった。
特に、容器本体の外形が全長に亘って均一径の円筒体であるため、人間の握力によって内径方向へ圧縮して弾性変形させることが容易でないため、容器本体を掌によって把持してペニスを容器本体内（内装材の凹部空間内）に挿入して摺擦を行いつつ採取作業を実施する際に、容器本体を握力によって加圧変形させることによってペニスに加わる圧力を調整することが困難であった。
また、内装材の凹部空間はその挿入口以外は密閉されているため、該挿入口からペニスを挿入した際に、内装材内壁とペニスとの間に空間が形成され、両者間の密着度が低下し易くなる。特に、最も敏感なペニス先端と凹部空間の奥部との間に空気が溜まりやすいため、如何に強く摺擦作業を繰り返したとしても溜まった空気を抜気することができず、射精のための十分な刺激が発生しないという問題を生じていた。仮に、容器本体を強く握って抜気を試みたとしても、全長に亘って同径（即ち円筒形）の容器本体内壁と内部の内装材との間には２ｃｍ近くの距離があるため、十分、且つ適度な圧力を加えることができず、ペニスに苦痛を与えることなく抜気することは不可能であった。
【０００４】
また、容器が全長に亘って同径の円筒形であることによって、内装材の周囲を覆う外装材も同形の円筒形となり、しかも外装材の内壁は凹凸を有しないストレート形状であるため、外装材内部に配置された内装材を係止、保形する力が十分に発揮されず、外装材内での内装材の変形が必要以上に自由となり、ペニスの挿入時、摺擦時に、内装材が挫屈、変形し易くなり、挫屈を起こすと正常な使用が困難となる。
また、内装材を構成するエラストマーは高価であるため、内装材の肉厚を薄くして材料費を低減することがトータルのコストダウンに有効ではあるが、内装材の肉厚を薄くするとペニスの挿入時、及び摺擦操作中に内装材が挫屈し易くなり、使用不能に陥ることがある。
また、エラストマーから成る内装材の凹部空間内壁とペニスとの潤滑性を高めるために凹部空間内には潤滑液（ローション）が適量充填されるが、この採取装置を運搬したり、保管、陳列する場合に円筒状容器本体のキャップ側を下向きにして立設しておくと、内装材の挿入口側が常時下向きになるため、挿入口、スポンジ蓋の切り込みを経由して多量の潤滑液が容器本体の開口側、キャップの内部に溜まった状態にある。この状態でキャップを外すと、潤滑液が容器開口から外部にあふれ出て容器外面に垂れたり、手や衣服に付着して不快感を催したり、実使用時に内装材の凹部空所内の潤滑液量が不足するという事態をもたらす。
このような不具合に対処するため、上記の如き構成の採取装置にあっては、容器本体の開口部とは反対側の底部を下向きにして容器を立設して保管、陳列する必要があるが、そのように開口部を上向きにして立設すると、潤滑液が内装材の凹部空所の内底部（奥部）のみに溜まった状態となるため、使用に際して凹部空所の入口（挿入口）、及び内壁の潤滑液が乾いた状態となり、ペニス挿入に対する障害となったり、ペニスと凹部空所内壁との摩擦抵抗の過剰な増大によって内装材を挫屈、変形させたり、ペニスを損傷させる原因となる。
また、従来、使用時に容器本体の開口部周縁がペニスの基部や、ペニス周辺の皮膚に繰り返し当接するため、これらの部位を痛めたり、不快感を与えるという不具合があった。
【特許文献１】実用新案登録第３０７６６２７号
【発明の開示】
【発明が解決しようとする課題】
【０００５】
本発明は上記に鑑みてなされたものであり、容器が全長に亘って略均一径の円筒体である場合に、ペニス摺擦のための操作中にゲル状樹脂材料から成るコア部材（内装材）内部のペニスに加わる圧力が全長に亘ってほぼ均一となり、ペニスに対する刺激が単純化する不具合を解消して、健常者は勿論、健常な青年男子に比べて刺激に弱い老人、身体障害者等がこの種の採取装置を使用する場合であっても、本人に適した最適、且つ必要十分な刺激を与えて採取目的を達成できるようにすることを一つの目的としている。また、通常の使用者よりも強い刺激を必要とする使用者にとってもその使用目的を十分に達成させることが可能となる。
特に、容器本体の外形、径寸法に予め変化を付与することによって、外部からの加圧によって変形が容易な箇所を設け、当該変形容易箇所を使用者の握力によって弾性変形させることによって、内部のペニスに加わる圧力を調整して刺激を変化させることを他の目的としている。
更に、容器内のゲル状樹脂製コア部材内部にペニスを圧入した際にペニス先端とコア部材内奥部との間に空気が溜まることによって、その後の摺擦操作においてペニス先端とコア部材内壁との間の摺擦が不十分となって、勃起、射精のために必要な刺激が得られなくなるという不具合を解消するために、ペニス挿入時、及び摺擦時に遅滞なく抜気できるようにすることを他の目的としている。
更に、容器が全長に亘って同径の円筒形であるために、外装材の内部に配置された内装材がペニスの挿入時、摺擦時に、挫屈、変形し易くなり、挫屈を起こすと正常な使用が困難となるという不具合を解消することを他の目的としている。
更に、未使用状態にある採取装置を保管、陳列する際に、コア部材内部に充填されている潤滑液（ローション）がコア部材入口側に溜まるように、容器の開口側を下向きにして立設した場合においても、キャップ開放時にコア部材の挿入口から潤滑液が漏れ出すことがない精子採取装置を提供することを他の目的としている。
更に、使用時に容器本体の開口部周縁がペニスの基部や、ペニス周辺の皮膚に繰り返し当接することによる当接部位へのダメージや、不快感を与えるという不具合を無くすることを他の目的としている。
【課題を解決するための手段】
【０００６】
上記目的を達成するため、請求項１の発明は、長手方向一端面が開口した非円筒状の容器本体と、該容器本体の開口部に着脱して開閉するキャップと、から成る容器と、前記容器本体内に収容され、長手方向一端面の挿入口から内部に延びる挿入空所を有したゲル状樹脂製のコア部材と、前記コア部材と前記容器本体内壁との間に介在するスポンジ層と、を備えた精子採取装置において、前記容器本体は、長手方向両端部の外径よりも中間部の外径が小さい非円筒体であると共に、前記キャップの上面は定置に適した平坦面であり、前記開口部と反対側の容器本体端部は定置に適さない円弧状面（球面）であることを特徴とする。
請求項２の発明は、請求項１において、前記コア部材の挿入空所の内径は、前記容器本体の中間部に設けた前記小径部に対応する部分が他の部位の内径よりも狭くなっていることを特徴とする。
請求項３の発明は、請求項１、又は２において、非円筒形の前記容器本体の外径は、前記開口部側端部よりも奥側端部の方が小径となっていることを特徴とする。
請求項４の発明は、長手方向一端面が開口した非円筒状の容器本体と、該容器本体の開口部に着脱して開閉するキャップと、から成る容器と、前記容器本体内に収容され、長手方向一端面の挿入口から内部に延びる挿入空所を有したゲル状樹脂製のコア部材と、前記コア部材と前記容器本体内壁との間に介在するスポンジ層と、を備えた精子採取装置において、非円筒状の前記容器の外形は、前記開口側端面が円形の平坦面であり、長手方向中間部に向けて側面幅が漸減して扁平化し、奥側端部の側面幅が最小となっていることを特徴とする。
請求項５の発明は、請求項１、２、３又は４において、前記コア部材は、その外周面に突出したリブを備え、前記スポンジ層は、前記リブを挟み込んで前記コア部材の挫屈を防止する挟圧部を備えていることを特徴とする。
請求項６の発明は、請求項１、２、３、４、又は５において、前記コア部材の挿入口に、該コア部材と密着して挿入口を閉止する蓋板を配置したことを特徴とする。
請求項７の発明は、請求項１乃至６の何れか一項において、前記コア部材の挿入口側端面と、前記キャップとの間に切り込みを有したスポンジ蓋を介在させ、該スポンジ蓋の一部を前記容器本体開口部端縁よりも外側に突出させたことを特徴とする。
請求項８の発明は、請求項１乃至７の何れか一項において、前記コア部材の先端部の適所に逆止弁として機能する抜気用の切り込み線を形成したことを特徴とする。
請求項９の発明は、請求項１乃至８の何れか一項において、前記スポンジ層とは別体の底部スポンジ層を、前記容器本体の内底面と前記コア部材先端面との間に介在させたことを特徴とする。
【発明の効果】
【０００７】
本発明によれば、容器が全長に亘って略均一径の円筒体でなく、非円筒体であるために、ペニス摺擦のための操作中にコア部材内部のペニスに加わる圧力が変化し、ペニスに対する刺激が多様化する。このため、健常者は勿論、健常な青年男子に比べて刺激に弱い老人、身体障害者等がこの種の採取装置を使用する場合であっても、本人に適した必要最低限の刺激を与えて採取目的を達成できる。
また、外部からの加圧によって変形が容易な箇所を設け、当該変形容易箇所を使用者の握力によって弾性変形できるようにしたので、内部のペニスに加わる圧力を調整して刺激を変化させることができる。また、コア部材内部に溜まりやすい空気を除去し易くなる。
また、コア部材先端部に逆止弁として機能する切り込み線を設けることにより、コア部材内部に溜まりやすい空気を、ペニス挿入時、及び摺擦時に遅滞なく抜気することが可能となる。
更に、容器の中間部が小径となっており、内部のコア部材が容器内部で移動、変形することを防止できるので、コア部材の挫屈を防止できる。
更に、未使用状態にある採取装置を保管、陳列する際に、コア部材内部に充填されている潤滑液（ローション）がコア部材入口側に溜まるように、容器の開口側を下向きにして立設することができるので、キャップ開放時にそのままペニスをスムーズに挿入することが可能となるばかりでなく、コア部材の挿入口から潤滑液が漏れ出すことがなくなる。
更に、使用時に容器本体の開口部周縁がペニスの基部や、ペニス周辺の皮膚に繰り返し当接することによる当接部位へのダメージや、不快感を与えるという不具合を無くすることができる。
【発明を実施するための最良の形態】
【０００８】
以下、本発明を図面に示した実施形態により詳細に説明する。
図１（ａ）及び（ｂ）は本発明の第１の実施形態に係る精子採取装置の外観斜視図、図２（ａ）及び（ｂ）は当該精子採取装置の正面図、及び底面図、図３は縦断面図、図４（ａ）及び（ｂ）は各構成要素の分解斜視図、及びコア部材の外観斜視図、図５は図３のＡ−Ａ断面図である。
この精子採取装置１は、長手方向一端面が開口した非円筒状の容器本体３、及び容器本体３の開口部４に着脱してこれを開閉するキャップ５から成る容器２と、容器本体３内に収容され、長手方向一端面の挿入口１１から内部に延びる挿入空所１２を有したゲル状樹脂製のコア部材１０と、コア部材１０と容器本体内壁との間に介在するスポンジ層２０と、を備えている。
更に、この精子採取装置１は、容器本体内底面に配置されるスポンジ部材（底部スポンジ層）３０と、コア部材の挿入口１１に添設されてこれを閉止する蓋板３５と、コア部材１０の挿入側端面に添設されると共に外周面にて容器本体内壁と密着することによりコア部材１０の位置決め固定等の役割を果たすスポンジ蓋４０と、を備えている。
容器本体３は、所要肉厚の樹脂材料から構成されており、長手方向両端部の外径よりも中間部３Ｍの外径が小さい非円筒体であると共に、同様の樹脂材料から成るキャップ５の上面５ａは平坦な面上への定置に適した平坦面であり、開口部４と反対側の容器本体３の端部３ａは定置に適さない円弧状面（球面）である。従って、キャップ５により閉止した容器本体３は、キャップ５の上面５ａを下向きにして平坦な面上に立設させることが可能である。一方、容器本体の他端部３ａを平坦な面上に安定して立設させることは困難であるので、未使用状態において潤滑液が挿入空所１２の奥部に溜まって、入口側の潤滑液が枯渇するという不具合がなくなる。
【０００９】
容器本体の他端部３ａには必要に応じて抜気用の小孔３ｂを形成しておき、未使用時には図示しないシールにより封止しておく。使用時には、シールを除去し、使用中に指で小孔３ｂを閉じたり開放することにより、コア部材内壁とペニスとの間の密着度、密着感を調整することができる。即ち、小孔３ｂを塞いだ状態ではペニスがコア部材内壁に密着するため締め付け力が強くなり、小孔を開放した状態では締め付け力が弱くなる。このように小孔を開閉するだけの簡単な操作によって、締め付け力を変化させて刺激を変化させることが可能となる。また、ペニスに痛みを感じる場合には、小孔を開けばよい。
コア部材１０は、エラストマーのような粘性を有したゲル状の樹脂、或いはゲル状のゴム等から構成された袋状体であり、その挿入側端面には大径のフランジ１３を備えると共に、小径の挿入口１１の内部には挿入口よりも大径の挿入空所１２が連通して形成されている。挿入空所１２内には任意の配置にて突起、襞等が形成されている。挿入空所１２内には潤滑液としてのローション等を適量予め充填しておく。
コア部材の挿入空所１２の内径は、容器本体３の長手方向中間部に設けた小径部３Ｍに対応する部分１２Ｍが他の部位の内径よりも狭くなっている。このため、ペニスを挿入口１１から挿入空所１２内に圧入した際は勿論、摺擦作業時にペニス先端がこの狭幅部を繰り返し通過することとなり、ペニスに対する圧力が変化し、その結果与える刺激を変化、増大させることができる。また、コア部材１０の長手方向中間部が容器本体の小径部３Ｍにより常時押圧されているので、コア部材の保形力が高まり、ペニス圧入時、摺擦時のコア部材の挫屈が防止される。
更に、コア部材１０の外周面には軸方向へ延びる板状のリブ１４を一体的に形成する。リブ１４は、周方向へ延びるリブであってもよい。
【００１０】
コア部材１０の先端部適所には、逆止弁として機能する抜気用の短い切り込み線１５を切り込み形成しておく。この切り込み線１５はペニスの未挿入時にはコア部材自体の弾性力によって完全に閉止されているために内部の潤滑液が漏出することを防止する一方で、ペニスの挿入によって内圧が高まった場合には開口することによってペニス先端と挿入空所１２の内底面との間に溜まろうとする空気を抜気させることができる。空気が除去された後は、ペニスを摺擦させる動作が行われても切り込み線１５は閉じ続けるため、潤滑液が外部へほとんど流出しない。但し、仮に切り込み線１５から多少の潤滑液が漏れ出したとしても、本装置の使用に支障を来す程度に内部の潤滑液が不足する事態は想定できない。
コア部材１０の挿入口１１に、挿入口１１周縁のコア部材端面と密着して挿入口を開閉自在に閉止する蓋板３５を配置して閉止することにより、挿入空所１２内に充填された潤滑液が漏出しないようにしている。従って、キャップ５側を下向きにして容器２を立設させたとしても挿入口から潤滑液が漏出せずに、挿入空所１２の挿入口側を十分に潤滑させた状態に保持することができる。また、蓋板３５の存在により内部の潤滑液の乾燥による減少が防止される。スポンジ蓋４０に潤滑液を含ませることによってもコア部材内部の乾燥が防止される。蓋板３５はコア部材１０の材質と同じゲル状樹脂から成るため、コア部材の挿入側端面に密着して挿入口１１を密閉することができる一方で、ペニスを挿入する場合にはペニス先端によって挿入口内部に押し込まれて、その後の摺擦操作に対する障害となることがない。
コア部材のフランジ１３面に添設するスポンジ蓋４０には、ペニス挿入用の切り込み線４１を形成しておくが、蓋板３５を用いて挿入口１１を外側から閉止する場合には、スポンジ蓋４０の中心部に予め蓋板３５を嵌合させる穴４２を形成しておいてもよい。このようにすれば、スポンジ蓋４０の内側面をフランジ１３面に密着させることができ、スポンジ蓋によるコア部材の位置決め、固定力が高まる。また、蓋板３５を固定する力が高まる。
更に、穴４２内にスポンジ（ウレタンフォーム）から成る嵌合部材をはめ込んで穴４２を蓋しておき、ペニス挿入時にこれを挿入空所内に押し込むようにしてもよい。この場合には、ペニス先端と挿入凹所内壁との間で嵌合部材が転動し、イレギュラーな刺激を与えることが可能となる。
また、コア部材１０の挿入口側端面と、キャップ５との間に切り込み線４１を有したスポンジ蓋４０を介在させる場合、図３にも示すようにスポンジ蓋の一部を容器本体開口部端縁よりも外側に所定量（例えば、３ｍｍ〜５ｍｍ）突出させる。このように構成することにより、使用時に容器本体の開口部周縁がペニスの基部や、ペニス周辺の皮膚に繰り返し当接することによる当接部位へのダメージや、不快感を与えるという不具合を無くすることができる。
【００１１】
次に、スポンジ層２０は、発泡樹脂シートから構成されているが、単純なシートではなく、コア部材外周に形成したリブ１４を挟み込んでコア部材の挫屈を防止するための挟圧部２１を備えている。本実施形態では軸方向へ延びる２つの板状のリブ１４を例示したが、このようなリブ１４を挟み込むために、スポンジ層２０の周方向中間部には軸方向へ延びる切り込み線としての挟圧部２１を設け、この挟圧部２１によって一方のリブ１４を挟み込むと共に、他方のリブ１４はスポンジ層２０の周方向両端面間に挟み込むようにしてコア部材１０とスポンジ層２０を一体化した状態で容器本体３内に、開口部４側から挿入する（図５）。
リブ１４の本数が３個以上の場合には挟圧部２１の個数もそれに応じて増大する。また、リブ１４の形成方向が周方向、その他の方向である場合にも同様に挟圧部の形成方向を変更する。
スポンジ層２０の肉厚をコア部材１０の長手方向に沿って異ならせたり、周方向に異ならせたり、更にスポンジ層２０の内面に突部を設ける等の工夫により、コア部材１０に対する周面からの圧力を変化させて、ペニスに対する刺激を変化、増大させることが可能となる。
図３の断面図では、スポンジ層２０をコア部材１０の先端部にまで延在させることによってこれを被覆しているが、図４の例ではスポンジ層２０によるカバー範囲をコア部材１０の先端部を除いた部位に極限すると共に、コア部材の先端部に対しては別部材のスポンジ部材（底部スポンジ層）３０を添設させるように構成している。
何れの例においても、コア部材先端部と容器本体内底面との間に弾性的に収縮するスポンジ材料が配置されているので、ペニス長の大小に対応することが可能となる。即ち、ペニス長が標準より短い場合にはコア部材先端側に位置するスポンジがコア部材先端を受けてコア部材先端形状のつぶれ変形を防止してペニス先端に対する摺擦力を維持する一方で、ペニス長が標準よりも長い場合にはコア部材先端側に位置するスポンジがペニス先端によって圧縮されて変形してコア部材先端とペニス先端との摺擦力を十分に維持することができる。
【００１２】
上記実施形態では、容器２の長手方向両端部の径がほぼ同等な例を示したが、摺擦によるペニス先端部への刺激を高めるためには、容器本体３の外径は、開口部側端部よりも奥側端部の方が小径となるように構成するのが好ましい。
即ち、図６（ａ）（ｂ）及び（ｃ）は本発明の第２の実施形態に係る精子採取装置の構成を示す正面図、側面図、及び斜視図であり、図７はこの精子採取装置の縦断面図であり、図８は構成要素の分解斜視図である。
この実施形態に係る精子採取装置１が、前記第１の実施形態に係る精子採取装置と最も異なる点は、容器の形状にある。何れの実施形態の容器も非円筒状である点では共通しているが、本実施形態に係る容器は長手方向一端面の形状が円形である一方で、他端側へ向かうほど側面形状の幅が漸減してゆき、他端部の幅が最小となるように構成されている点が異なっている。
即ち、この精子採取装置１は、長手方向一端面が円形に開口した非円筒状の容器本体３、及び容器本体３の開口部４に着脱してこれを開閉するキャップ５から成る容器２と、容器本体３内に収容され、長手方向一端面の挿入口１１から内部に延びる挿入空所１２を有したゲル状樹脂製のコア部材１０と、コア部材１０と容器本体内壁との間に介在するスポンジ層２０と、を備えている。
更に、精子採取装置１は、容器本体内底面に配置されるスポンジ部材（底部スポンジ層）３０と、コア部材の挿入口１１に添設されてこれを閉止する蓋板３５と、コア部材１０の挿入側端面に添設されると共に外周面に容器本体内的と密着することによりコア部材１０の位置決め固定等の役割を果たすスポンジ蓋４０と、を備えている。
【００１３】
容器本体３は、所要肉厚の樹脂材料から構成されており、図６（ｂ）の側面図に示すように長手方向一端部（挿入側端部）の幅が最大となっており、中間部３Ｍのくびれ部に向かって幅が細くなり、更に他端へ向かって幅が僅かに漸増してから漸減し、他端部３ａの幅は最小となっている。図６（ａ）の正面形状では、挿入側端部よりも他端部３ａの幅が大きくなっている。
この容器本体３の最大の特徴は、中間部３Ｍ、及び奥部３Ｒの幅が狭くなっており、しかも弾性変形が容易に構成されているため、容器本体を片手により把持しながらペニスの摺擦動作を実施する際に指により奥部３Ｒを好みの負荷にて加圧することが可能となる点である。このため、好みの刺激、圧迫感を任意のタイミングで付与することが可能となるばかりでなく、コア部材内壁とペニスとの間に空気が入っていたとしても指先でもみながら往復動させるので自然に空気を抜気させることができる。或いは、ペニスをコア部材内に挿入する以前に奥部３Ｒを指により圧迫しておくことによって空気が入り込む（残留する）余地を無くしてから挿入することが可能となる。
更に、ペニスに対する容器本体３の位置関係を９０度回動させるだけで、ペニス先端（亀頭部）に対する奥部３Ｒの狭幅部が当接する位置を変化させることができる点も特徴的である。即ち、単なる円筒形の容器本体である場合と異なり、先端部がテーパー状に減幅しているため、装置全体の回転方向角度を変化させることにより、奥部３Ｒの幅狭部内壁がペニス先端を刺激する位置を変化させて、摺擦操作におけるバリエーションを確保することができる。
このタイプの精子採取装置は、老人、身障者等のように強い性的刺激に耐えられない使用者にとって、自分に適した任意の適度な刺激を作り出すことを可能とするのでその有用性が高いものとなる。つまり、刺激の強弱を調整して本人に適した満足感を得ることが可能となる。
更に、奥部３Ｒが弾性変形容易であることを利用して、コア部材内への射出後に奥部３Ｒを圧迫しながら精液を絞り出してコア部材の内奥部に溜めつつペニスを抜き取ることができ、清潔となる。
【００１４】
次に、キャップ５の上面５ａを平坦化してコア部材の挿入口１１側を下向きにして容器を立設させることにより、入口側の潤滑剤が枯渇する不具合を防止する点は第１の実施形態と同様である。蓋板３５を用いて挿入口１１を閉止する構成も同様であり、この場合にスポンジ蓋に設けた穴内に蓋板３５を嵌合させるように構成してもよい。
コア部材１０は、第１の実施形態と同様にエラストマーのような粘性を有したゲル状の樹脂、或いはゲル状のゴム等から構成された袋状体であり、その挿入側端面には大径のフランジ１３を備えると共に、小径の挿入口１１の内部には挿入口よりも大径の挿入空所１２が連通して形成されている。挿入空所１２内には任意の配置にて突起、襞等が形成されている。挿入空所１２内には潤滑液としてのローション等を適量予め充填しておく。
コア部材の挿入空所１２の内径は、容器本体３の長手方向中間部に設けた小径部３Ｍに対応する部分１２Ｍを他の部位の内径よりも狭くすることにより、第１の実施形態の場合と同様に、摺擦動作時のペニスに対する圧力を変化させ、その結果与える刺激を変化、増大させることができる。また、コア部材１０の長手方向中間部が容器本体の小径部３Ｍにより常時押圧されているので、コア部材の保形力が高まり、ペニス圧入時、摺擦時のコア部材の挫屈が防止される点も同様である。
更に、コア部材１０の外周面には軸方向へ延びる板状のリブ１４を一体的に形成する。リブ１４は、周方向へ延びるリブであってもよい。
コア部材１０の先端部適所に、必要に応じて逆止弁として機能する抜気用の短い切り込み線１５を切り込み形成しておく点も第１の実施形態の場合と同様である。
【００１５】
また、図７にも示すようにスポンジ蓋４０の一部を容器本体開口部端縁よりも外側に所定量（例えば、３ｍｍ〜５ｍｍ）突出させることにより、使用時に容器本体の開口部周縁がペニスの基部や、ペニス周辺の皮膚に繰り返し当接することによる当接部位へのダメージや、不快感を与えるという不具合を無くすることができる。
更に、穴４２内にスポンジ（ウレタンフォーム）から成る嵌合部材をはめ込んで穴４２を蓋しておき、ペニス挿入時にこれを挿入空所内に押し込むようにしてもよい。この場合には、ペニス先端と挿入凹所内壁との間で嵌合部材が転動し、イレギュラーな刺激を与えることが可能となる。
次に、スポンジ層２０の構成は第１の実施形態と同様であり、コア部材外周に形成したリブ１４を挟み込んでコア部材の挫屈を防止するための挟圧部２１を備えている。
【図面の簡単な説明】
【００１６】
【図１】（ａ）及び（ｂ）は本発明の第１の実施形態に係る精子採取装置の外観斜視図。
【図２】（ａ）及び（ｂ）は精子採取装置の正面図、及び底面図。
【図３】精子採取装置の縦断面図。
【図４】（ａ）及び（ｂ）は各構成要素の分解斜視図、及びコア部材の外観斜視図。
【図５】図３のＡ−Ａ断面図。
【図６】（ａ）（ｂ）及び（ｃ）は本発明の第２の実施形態に係る精子採取装置の構成を示す正面図、側面図、及び斜視図。
【図７】精子採取装置の縦断面図。
【図８】構成要素の分解斜視図。
【符号の説明】
【００１７】
１  精子採取装置、２  容器  ３  容器本体、４  開口部、５  キャップ、１０  コア部材、１１  挿入口、１２  挿入空所、１４  リブ、２０  スポンジ層、３０  スポンジ部材（底部スポンジ層）、３５  蓋板、４０  スポンジ蓋、４１  切り込み線。
【図１】
2006334176.tif 000003
【図２】
2006334176.tif 000004
【図３】
2006334176.tif 000005
【図４】
2006334176.tif 000006
【図５】
2006334176.tif 000007
【図６】
2006334176.tif 000008
【図７】
2006334176.tif 000009
【図８】
2006334176.tif 000010